(57)【要約】【課題】大気汚染がひどい場合においても安心して換気がなし得る窓構造を提供する。【解決手段】窓枠１とガラス障子の框２との間に前記窓枠１および前記框２との取合いをなすように形成された枠体１１を有する換気装置１０を備え、換気装置１０は、少なくとも吸気部３０を有し、吸気部３０は吸気ファン３１とフィルター３２とを有してなるものとされ、さらに室外側にガラリ２０を有し、室内側にシャッター６０を有してなる窓構造Ｋである。【選択図】図１
2014228203.tif 000002
【特許請求の範囲】
【請求項１】
窓枠とガラス障子の框との間に前記窓枠および前記框との取合いをなすように形成された枠体を有する換気装置を備え、
前記換気装置は、少なくとも吸気部を有し、
前記吸気部は吸気ファンとフィルターとを有してなる
ことを特徴とする窓枠構造。
【請求項２】
排気部を有し、前記排気部は排気ファンとフィルターとを有してなることを特徴とする請求項１記載の窓枠構造。
【請求項３】
室外側にガラリを有し、室内側にシャッターを有してなることを特徴とする請求項１記載の窓枠構造。
【発明の詳細な説明】
【技術分野】
【０００１】
本発明は窓構造に関する。さらに詳しくは、換気機能が向上されてなる窓構造に関する。
【背景技術】
【０００２】
従来より、窓には上部に換気用の子窓が設けられているものが知られている。
【０００３】
かかる子窓による換気は、この子窓を開けて室内と外部とを連通することによりなすようにされている。かかる換気方法においては、大気汚染がひどい場合には、汚染物質が直接室内に侵入してくることになる。
【０００４】
そのため、大気汚染がひどい場合においても安心して室内の換気がなし得る窓構造の出現が熱望されている。
【０００５】
なお、ダブルスキン構造の窓における換気については、特許文献１に提案がなされている。
【先行技術文献】
【特許文献】
【０００６】
【特許文献１】特開２００９−１５００９９号公報
【発明の開示】
【発明が解決しようとする課題】
【０００７】
本発明はかかる従来技術の課題に鑑みなされたものであって、大気汚染がひどい場合においても安心して換気がなし得る窓構造を提供することを目的としている。
【課題を解決するための手段】
【０００８】
本発明の窓枠構造は、窓枠とガラス障子の框との間に前記窓枠および前記框との取合いをなすように形成された枠体を有する換気装置を備え、前記換気装置は、少なくとも吸気部を有し、前記吸気部は吸気ファンとフィルターとを有してなることを特徴する。
【０００９】
本発明の窓枠構造においては、排気部を有し、前記排気部は排気ファンとフィルターとを有してなるものとされてもよい。
【００１０】
また、本発明の窓枠構造においては、室外側にガラリを有し、室内側にシャッターを有してなるのが好ましい。
【発明の効果】
【００１１】
本発明は前記の如く構成されているので、大気汚染物質の侵入を防止しながら室内の換気がなし得るという優れた効果を奏する。
【図面の簡単な説明】
【００１２】
【図１】本発明の一実施形態に係る窓構造の概略図である。
【図２】同窓構造のフィルターを撤去した状態の正面図である。
【図３】同窓構造の側面断面図である。
【図４】窓枠取合部の概略断面図であって、窓枠と枠体とを分離して示す。
【図５】框取合部の概略断面図であって、框と枠体とを分離して示す。
【図６】下レール部取合部の概略断面図であって、下レール部と枠体とを分離して示す。
【図７】上レール部取合部の概略断面図であって、上レール部と枠体とを分離して示す。
【図８】操作部の変形例の概略図である。
【発明を実施するための形態】
【００１３】
以下、添付図面を参照しながら本発明を実施形態に基づいて説明するが、本発明はかかる実施形態のみに限定されるものではない。
【００１４】
図１に、本発明の一実施形態に係る窓構造Ｋを示す。
【００１５】
窓構造Ｋは、図１に示すように、窓の一側において窓枠１とガラス障子の框２との間に換気装置１０を配設してなるものとされる。このため、一側側のガラス障子は他側側のガラス障子より幅が狭くされている。
【００１６】
換気装置１０は、図２および図３に示すように、装置本体を構成する枠体１１と、枠体１１の室外側に配設されたガラリ２０と、枠体１１の下部に配設された吸気部３０と、枠体１１の上部に配設された排気部４０と、吸気部３０と排気部４０との間に配設された操作部５０と、枠体１１の室内側に配設されたシャッター６０と、を有するものとされる。
【００１７】
枠体１１は、例えばアルミ合金からなるものとされ、窓枠１との取り合いをなす窓枠取合部１２と、ガラス障子の框２との取り合いをなす框取合部１３と、窓枠２の下レート部１ａとの取り合いをなす下レール部取合部１４と、窓枠１の上レート部１ｂとの取り合いをなす上レール部取合部１５と、を含むものとされる。
【００１８】
窓枠取合部１２は、図４に示すように、窓枠１に対向した面が窓枠１の対向面に対応した形状とされ、窓枠１の対向面と接合できるようにされてなるものとされる。
【００１９】
図４に示す例においては、窓枠１の対向面に形成された凸片１ｃが嵌入される溝１２ａが形成されてなるものとされる。
【００２０】
框取合部１３は、図５に示すように、框２に対向した面が框２の対向面に対応した形状とされ、框２の対向面と接合できるようにされてなるものとされる。
【００２１】
図５に示す例においては、框２が嵌入される溝１３ａが形成されてなるものとされる。
下レール部取合部１４は、図６に示すように、下レール部１ａに対向した面が下レール部１ａの対向面に対応した形状とされ、下レール部１ａの対向面と接合できるようにされてなるものとされる。
【００２２】
図６に示す例においては、下レール１ｄが嵌入される溝１４ａが形成されてなるものとされる。
【００２３】
上レール部取合部１５は、図７に示すように、枠体１１に一体化された下部部材１５ａと、下部部材１５ａにボルト留めされる上部部材１５ｂとからなるものとされ、上部部材１５ｂの上レール部１ｂに対向した面が上レール部１ｂの対向面に対応した形状とされ、上レール部１ｂの対向面と接合できるようにされてなるものとされる。なお、図示はされていないが、下部部材１５ａおよび上部部材１５ｂの框２との対向部には、框２の嵌合部が形成されてなるものとされる。
【００２４】
図７に示す例においては、上レール１ｅが嵌入される溝１５ｃが形成されてなるものとされる。
【００２５】
ガラリ２０は、例えばアルミ合金からなるものとされ、明瞭には図示はされていないが、雨が室内に入り込まないようにサイズおよびピッチが調整されたルーバー２１が配設されてなるものとされる。なお、ガラリ２０は合成樹脂製とされてもよい。
【００２６】
吸気部３０は、枠体１１内で枠体１１に支持部材１６により適宜支持された吸気ファン３１と、枠体１１の室内側に配設されたフィルター３２とを含むものとされる。
【００２７】
排気部４０は、枠体１１内で枠体１１に支持部材１６により適宜支持された排気ファン４１と、枠体１１の室内側に配設されたフィルター４２とを含むものとされる。
【００２８】
フィルター３２，４２は枠体１１に着脱自在に装着されて掃除などが手軽になし得るようにされている。また、フィルター３２，４２は、大気汚染物質を除去できる機能を有するものとされている。
【００２９】
操作部５０は、枠体１１の室内側に埋め込まれ、図示はされていないが、電源をオンオフする電源スイッチと、吸気ファン３１をオンオフする吸気ファンスイッチと、排気ファン４１をオンオフする排気ファンスイッチと、を有するものとされる。
シャッター６０は、換気装置１０が不使用時において外気の室内への進入を防止するものとされ、鎧戸状とされたシャッター本体６１を有するものとされる。シャッター本体６１は、枠体１１の室内側の両側に配設されたガイド部材(図示省略)にガイドされて昇降をなすようにされてなるものとされる。
【００３０】
しかして、かかる構成とされた換気装置１０は、枠体１１の窓枠取合部１２および下レール取合部１４をそれぞれ窓枠１および下レール部１ａとの取合いをなして枠体１１を窓枠１に取り付け、ついで上レール部取合部１５の上部部材１５ｂを上レール部１ｂとの取合いをなした後に、上部部材１５ｂを枠体１１と一体化されている下部部材１５ａにボルト留めすることにより窓枠１への取り付けが完了する。
【００３１】
次に、かかる構成とされた窓構造Ｋによる室内換気について説明する。
【００３２】
室内に外気を取り込む場合は、電源をオンとし、ついで吸気ファンスイッチをオンすることにより、室内に外気を取り込むことができる。
【００３３】
室内の空気を室外に排出する場合は、電源をオンとし、ついで排気ファンスイッチをオンすることにより吸気ファン３１を作動させて、室内に空気を室外に排出することができる。
【００３４】
また、吸気ファンスイッチをオンとするとともに、排気ファンスイッチをオンすることにより吸気ファン３１および排気ファン４１を同時に作動させて、吸気と排気を同時になすことができる。
【００３５】
このように、本実施形態によれば、換気をフィルター３２，４２を通して行うことができるので、大気汚染物質を室内に侵入させることなく換気ができる。また、換気装置１０は、窓枠１とガラス障子の框２との間に配設するようにされているので、既設の窓への適用も容易である。さらに、枠体１１に窓枠取合部１２などが設けられているので、既設の窓枠１を改造することなく換気装置１０を設置することができる。その上、網戸を不要とできるので、外観の見栄えが向上する。
【００３６】
以上、本発明を実施形態に基づいて説明してきたが、本発明かかる実施形態のみに限定されるものではなく、種々改変が可能である。
【００３７】
例えば、本実施形態では、吸気部３０と排気部４０とが設けられているが、室内構造によっては、吸気部３０のみとされてもよい。例えば、キッチンの排気フードにより排気をなすようにされてもよい。
【００３８】
また、本実施形態では、吸気部３０と排気部４０とが設けられているが、図８に示すように、操作部５０に吸気モードと排気モードとにするモードスイッチを設けて、モード切替により上下に配設されている両ファンを同時に吸気ファンとしたり、同時に排気ファンとしたりするようにされてもよい。
【００３９】
また、シャッター６０に替えて扉とされてもよい。
【００４０】
また、本実施形態では換気装置１０は窓枠１の一側側に設けられているが、換気装置１０は窓枠１の両側に設けられるようにされてもよい。その場合、一方を吸気専用とし、他方を排気専用とするようにされてもよい。
【産業上の利用可能性】
【００４１】
本発明は住宅産業に適用できる。
【符号の説明】
【００４２】
Ｋ      窓構造
１      窓枠
１ａ    下レート部
１ｂ    上レート部
１ｃ    凸片
１ｄ    下レール
１ｅ    上レール
２      框
１０      換気装置
１１      枠体
１２      窓枠取合部
１２ａ    溝
１３      框取合部
１３ａ    溝
１４      下レール部取合部
１４ａ    溝
１５      上レール部取合部
１５ａ    下部部材
１５ｂ    上部部材
１５ｃ    溝
１６      支持部材
２０      ガラリ
２１      ルーバー
３０      吸気部
３１      吸気ファン
３２      フィルター
４０      排気部
４１      排気ファン
４２      フィルター
５０      操作部
６０      シャッター
６１      シャッター本体
【図１】
2014228203.tif 000003
【図２】
2014228203.tif 000004
【図３】
2014228203.tif 000005
【図４】
2014228203.tif 000006
【図５】
2014228203.tif 000007
【図６】
2014228203.tif 000008
【図７】
2014228203.tif 000009
【図８】
2014228203.tif 000010